(57)【特許請求の範囲】
【請求項１】
複数のチャンネルのいずれかを切りかえながら、送信アンテナから信号を送信する送信部と、
前記送信部が送信した信号を受信アンテナにてチャンネルごとに受信する受信部と、
前記受信部が受信した信号に対する受信品質をチャンネルごとに測定するとともに、他の送信装置からの信号を前記受信部が受信した場合に、前記他の送信装置からの信号の受信電力を測定する測定部と、
前記測定部が測定した受信品質をもとに、放送に適したチャンネルの優先順位をチャンネルに付与する付与部と、
前記付与部が付与したチャンネルの優先順位をもとに、放送に適したチャンネルに関する情報を表示する表示部と、
前記測定部において測定した受信電力がしきい値よりも大きい場合に、放送サービスを識別するための識別情報の入力を受けつける受付部と、
前記受付部が受けつけた識別情報と、受信した信号に含まれた識別情報とが一致する場合に、信号の送信を決定する決定部とを備え、
前記送信部は、前記決定部が送信を決定した場合、前記受信部が前記他の送信装置からの信号を受信しなかった場合、または前記受信電力がしきい値以下の場合、のいずれかの場合に信号を送信することを特徴とする送信装置。
【請求項２】
複数のチャンネルのいずれかを切りかえながら、送信アンテナから信号を送信する送信部と、
前記送信部が送信した信号を受信アンテナにてチャンネルごとに受信する受信部と、
前記受信部が受信した信号に対する受信品質をチャンネルごとに測定するとともに、他の送信装置からの信号を前記受信部が受信した場合に、前記他の送信装置からの信号の受信電力を測定する測定部と、
前記測定部が測定した受信品質をもとに、放送に適したチャンネルの優先順位をチャンネルに付与する付与部と、
前記付与部が付与したチャンネルの優先順位をもとに、放送に適したチャンネルに関する情報を表示する表示部と、
前記受信部が受信した信号の送信元である他の送信装置との距離をもとに、受信電力を推定する推定部と、
前記推定部が推定した受信電力よりも、前記測定部が測定した受信電力の方が小さい場合に、差分をマージンとして取得する取得部と、
前記他の送信装置からの信号を受信装置が所定の位置で受信する際の前記送信部が送信した信号をＤ、前記他の送信装置からの信号をＵとするＤＵ比に、前記取得部が取得したマージンを加えた値がしきい値よりも大きくなるように、送信電力を決定する決定部とを備え、
前記送信部は、前記決定部が決定した送信電力によって信号を送信することを特徴とする送信装置。
【請求項３】
送信部が、複数のチャンネルのいずれかを切りかえながら、送信アンテナから信号を送信するステップと、
受信部が、前記送信部が送信した信号を受信アンテナにてチャンネルごとに受信するステップと、
測定部が、前記受信部が受信した信号に対する受信品質をチャンネルごとに測定するステップと、
付与部が、前記測定部が測定した受信品質をもとに、放送に適したチャンネルの優先順位をチャンネルに付与するステップと、
表示部が、前記付与部が付与したチャンネルの優先順位をもとに、放送に適したチャンネルに関する情報を表示するステップと、
前記測定部が、前記受信部が他の送信装置からの信号を受信した場合に、前記他の送信装置からの信号の受信電力を測定するステップと、
受付部が、前記測定部が測定した受信電力がしきい値よりも大きい場合に、放送サービスを識別するための識別情報の入力を受けつけるステップと、
決定部が、前記受付部が受けつけた識別情報と、受信した信号に含まれた識別情報とが一致する場合に、信号の送信を決定するステップと、
前記送信部が、前記決定部が送信を決定した場合、前記受信部が前記他の送信装置からの信号を受信しなかった場合、または前記受信電力がしきい値以下の場合、のいずれかの場合に、信号を送信するステップと、
を含むことを特徴とする送信方法。
【請求項４】
送信部が、複数のチャンネルのいずれかを切りかえながら、送信アンテナから信号を送信するステップと、
受信部が、前記送信部が送信した信号を受信アンテナにてチャンネルごとに受信するステップと、
測定部が、前記受信部が受信した信号に対する受信品質をチャンネルごとに測定するステップと、
付与部が、前記測定部が測定した受信品質をもとに、放送に適したチャンネルの優先順位をチャンネルに付与するステップと、
表示部が、前記付与部が付与したチャンネルの優先順位をもとに、放送に適したチャンネルに関する情報を表示するステップと、
前記受信部が、他の送信装置からの信号を受信するステップと、
前記測定部が、前記受信部が受信した前記他の送信装置からの信号の受信電力を測定するステップと、
推定部が、前記受信部が受信した信号の送信元である他の送信装置との距離をもとに、受信電力を推定するステップと、
取得部が、前記推定部が推定した受信電力よりも、前記測定部が測定した受信電力の方が小さい場合に、差分をマージンとして取得するステップと、
決定部が、前記他の送信装置からの信号を受信装置が所定の位置で受信する際の前記送信部が送信した信号をＤ、前記他の送信装置からの信号をＵとするＤＵ比に、前記取得部が取得したマージンを加えた値がしきい値よりも大きくなるように、送信電力を決定するステップと、
前記送信部が、決定された送信電力によって、信号を送信するステップと、
を含むことを特徴とする送信方法。
【発明の詳細な説明】
【技術分野】
【０００１】
本発明は、送信技術に関し、特に所定の信号を送信する送信装置および送信方法に関する。
【背景技術】
【０００２】
無線通信では、他の送信装置が信号を送信しているタイミングに同一の周波数で信号を送信すると、信号同士に干渉が生じる。干渉が生じている環境は、電波環境が悪化している環境といえ、信号の送信に適さない。これに対応するため、例えば、送信サイト側に送信機と送信用アンテナとを有し、受信サイト側に受信機と受信用アンテナとを有するレーダ装置では、送信サイト側に、電波環境を調査する電波環境監視装置が設けられる。また、送信が行われていないタイミングで電波環境監視装置による受信が行われ、電波環境監視装置の出力により送信機と受信機の使用チャンネルが制御される（例えば、特許文献１）。
【先行技術文献】
【特許文献】
【０００３】
【特許文献１】特開平５−２７０１２号公報
【発明の概要】
【発明が解決しようとする課題】
【０００４】
エリアワンセグメント放送とは、地上デジタル放送のひとつであるワンセグメント放送を利用し、放送事業者によって使用される送信電力よりも小さい送信電力によって、狭いエリアに限定的にコンテンツデータを送信するサービスである。このようなエリアワンセグメント放送の送信装置を設置する場合、既存の放送局からの地上デジタル放送の信号を受信するテレビジョン受信装置に影響を与えないことが必要とされる。そのため、その場所で放送に使用されていないチャンネルを送信装置に設定してから、サービスが開始される。一方、エリアワンセグメント放送の送信装置の場合、前述のごとく、送信出力が小さいので、サービスエリアはたとえば数十メートルに制限される。そのため、送信装置を気軽に扱えるので、地上デジタル放送の中継局の存在などを確認しないまま、送信用のチャンネルが設定されてしまうことによって、妨害波を送信してしまうおそれがある。
【０００５】
本発明はこうした状況に鑑みてなされたものであり、その目的は、干渉信号が存在する環境に適したエリアワンセグメント放送を実現する技術を提供することである。
【課題を解決するための手段】
【０００６】
上記課題を解決するために、本発明のある態様の送信装置は、複数のチャンネルのいずれかを切りかえながら、送信アンテナから信号を送信する送信部と、送信部が送信した信号を受信アンテナにてチャンネルごとに受信する受信部と、受信部が受信した信号に対する受信品質をチャンネルごとに測定するとともに、他の送信装置からの信号を受信部が受信した場合に、他の送信装置からの信号の受信電力を測定する測定部と、測定部が測定した受信品質をもとに、放送に適したチャンネルの優先順位をチャンネルに付与する付与部と、付与部が付与したチャンネルの優先順位をもとに、放送に適したチャンネルに関する情報を表示する表示部と、測定部において測定した受信電力がしきい値よりも大きい場合に、放送サービスを識別するための識別情報の入力を受けつける受付部と、受付部が受けつけた識別情報と、受信した信号に含まれた識別情報とが一致する場合に、信号の送信を決定する決定部とを備える。送信部は、決定部が送信を決定した場合、受信部が他の送信装置からの信号を受信しなかった場合、または受信電力がしきい値以下の場合、のいずれかの場合に信号を送信する。
本発明の別の態様もまた、送信装置である。この装置は、複数のチャンネルのいずれかを切りかえながら、送信アンテナから信号を送信する送信部と、送信部が送信した信号を受信アンテナにてチャンネルごとに受信する受信部と、受信部が受信した信号に対する受信品質をチャンネルごとに測定するとともに、他の送信装置からの信号を受信部が受信した場合に、他の送信装置からの信号の受信電力を測定する測定部と、測定部が測定した受信品質をもとに、放送に適したチャンネルの優先順位をチャンネルに付与する付与部と、付与部が付与したチャンネルの優先順位をもとに、放送に適したチャンネルに関する情報を表示する表示部と、受信部が受信した信号の送信元である他の送信装置との距離をもとに、受信電力を推定する推定部と、推定部が推定した受信電力よりも、測定部が測定した受信電力の方が小さい場合に、差分をマージンとして取得する取得部と、他の送信装置からの信号を受信装置が所定の位置で受信する際の送信部が送信した信号をＤ、他の送信装置からの信号をＵとするＤＵ比に、取得部が取得したマージンを加えた値がしきい値よりも大きくなるように、送信電力を決定する決定部とを備える。送信部は、決定部が決定した送信電力によって信号を送信する。
【００１０】
本発明のさらに別の態様は、送信方法である。この方法は、送信部が、複数のチャンネルのいずれかを切りかえながら、送信アンテナから信号を送信するステップと、受信部が、送信部が送信した信号を受信アンテナにてチャンネルごとに受信するステップと、測定部が、受信部が受信した信号に対する受信品質をチャンネルごとに測定するステップと、付与部が、測定部が測定した受信品質をもとに、放送に適したチャンネルの優先順位をチャンネルに付与するステップと、表示部が、付与部が付与したチャンネルの優先順位をもとに、放送に適したチャンネルに関する情報を表示するステップと、測定部が、受信部が他の送信装置からの信号を受信した場合に、他の送信装置からの信号の受信電力を測定するステップと、受付部が、測定部が測定した受信電力がしきい値よりも大きい場合に、放送サービスを識別するための識別情報の入力を受けつけるステップと、決定部が、受付部が受けつけた識別情報と、受信した信号に含まれた識別情報とが一致する場合に、信号の送信を決定するステップと、送信部が、決定部が送信を決定した場合、受信部が他の送信装置からの信号を受信しなかった場合、または受信電力がしきい値以下の場合、のいずれかの場合に、信号を送信するステップと、を含む。
本発明のさらに別の態様もまた、送信方法である。この方法は、送信部が、複数のチャンネルのいずれかを切りかえながら、送信アンテナから信号を送信するステップと、受信部が、送信部が送信した信号を受信アンテナにてチャンネルごとに受信するステップと、測定部が、受信部が受信した信号に対する受信品質をチャンネルごとに測定するステップと、付与部が、測定部が測定した受信品質をもとに、放送に適したチャンネルの優先順位をチャンネルに付与するステップと、表示部が、付与部が付与したチャンネルの優先順位をもとに、放送に適したチャンネルに関する情報を表示するステップと、受信部が、他の送信装置からの信号を受信するステップと、測定部が、受信部が受信した他の送信装置からの信号の受信電力を測定するステップと、推定部が、受信部が受信した信号の送信元である他の送信装置との距離をもとに、受信電力を推定するステップと、取得部が、推定部が推定した受信電力よりも、測定部が測定した受信電力の方が小さい場合に、差分をマージンとして取得するステップと、決定部が、他の送信装置からの信号を受信装置が所定の位置で受信する際の送信部が送信した信号をＤ、他の送信装置からの信号をＵとするＤＵ比に、取得部が取得したマージンを加えた値がしきい値よりも大きくなるように、送信電力を決定するステップと、送信部が、決定された送信電力によって、信号を送信するステップと、を含む。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、干渉信号が存在する環境に適したエリアワンセグメント放送を実現できる。
【図面の簡単な説明】
【００１３】
【図１】本発明の実施例に係るエリアワンセグメント放送システムの構成を示す図である。
【図２】図１のエリアワンセグメント放送用送信装置の構成を示す図である。
【図３】図２のチャンネル別受信データメモリのデータ構造を示す図である。
【図４】図２の地域別チャンネルデータメモリのデータ構造を示す図である。
【図５】図２のエリアワンセグメント放送用送信装置による送信手順を示すフローチャートである。
【図６】図５の初期スキャンの処理手順を示すフローチャートである。
【図７】図５の第１処理の手順を示すフローチャートである。
【図８】図２の処理部の構成を示す図である。
【図９】図５の第２処理の手順を示すフローチャートである。
【図１０】図２の処理部の別の構成を示す図である。
【図１１】図１１（ａ）−（ｂ）は、エリアワンセグメント放送用送信装置間の干渉を説明するための図である。
【図１２】図１２（ａ）−（ｂ）は、図１１（ａ）−（ｂ）に対応した距離対減衰量を示す図である。
【図１３】図２の処理部のさらに別の構成を示す図である。
【図１４】図５の第３処理の手順を示すフローチャートである。
【図１５】図１４のサービス推奨チャンネルの算出手順を示すフローチャートである。
【図１６】図２の処理部のさらに別の構成を示す図である。
【図１７】図２の処理部に記憶される前回実行結果データのデータ構造を示す図である。
【発明を実施するための形態】
【００１４】
本発明を具体的に説明する前に、まず概要を述べる。本発明の実施例は、エリアワンセグメント放送におけるコンテンツ配信サービスを実現するために、コンテンツデータが含まれたＯＦＤＭ信号を送信するエリアワンセグメント放送用送信装置に関する。前述のごとく、エリアワンセグメント放送用送信装置は気軽に扱えるので、地上デジタル放送の中継局の存在などを確認しないまま、送信用のチャンネルが設定されてしまうことによって、妨害波を送信してしまうおそれがある。これに対して最初に考えられる対策がキャリアセンスの実行である。その場所で使用されているチャンネルが判明するので、ユーザが、重複したチャンネルを無意識に設定しても、同一チャンネルには送信できなくなる。その結果、妨害波を送信してしまうリスクが減少する。
【００１５】
しかしながら、キャリアセンスを実行しても、以下の懸念事項が残る。ひとつは、エリアワンセグメント放送用送信装置を設定するユーザが意図的にキャリアセンスを実行させないようにした場合である。別のひとつは、隣接する場所で希望するチャンネルを使用したエリアワンセグメント放送が送信されている場合である。また、別のひとつは、一部のチャンネルの地上デジタル放送の信号だけ受信した場合である。さらに別のひとつは、希望チャンネルでは、隣接チャンネル等の干渉の影響が強すぎて想定のサービスエリアが確保できない場合である。
【００１６】
図１は、本発明の実施例に係るエリアワンセグメント放送システム２００の構成を示す。エリアワンセグメント放送システム２００は、エリアワンセグメント放送用送信装置１００を含む。また、地上デジタル放送用送信装置１０２も設置される。ここで、エリアワンセグメント放送用送信装置１００は、エリアワンセグメント放送用エリア１０４を形成し、地上デジタル放送用送信装置１０２は、地上デジタル放送用エリア１０６を形成する。地上デジタル放送用送信装置１０２は、地上デジタル放送の信号を送信する。地上デジタル放送として公知の技術が使用されればよいので、ここでは、説明を省略する。地上デジタル放送用送信装置１０２は、放送事業者によって設置されるとともに、運用されている。
【００１７】
一方、エリアワンセグメント放送用送信装置１００は、地上デジタル放送用送信装置１０２等から送信される１３セグメントのうちの少なくともワンセグメントだけを使用して信号を送信する。また、エリアワンセグメント放送用送信装置１００は、前述のごとく、地上デジタル放送用送信装置１０２の送信電力よりも小さな送信電力で信号を送信する。そのため、エリアワンセグメント放送用エリア１０４は、地上デジタル放送用エリア１０６よりも狭い。また、図１では省略されているが、エリアワンセグメント放送用送信装置１００や地上デジタル放送用送信装置１０２からの信号を受信する受信装置が、エリアワンセグメント放送用エリア１０４や地上デジタル放送用エリア１０６内に存在する。
【００１８】
図２は、エリアワンセグメント放送用送信装置１００の構成を示す。エリアワンセグメント放送用送信装置１００は、送信部１０、受信部１２、処理部１４、入力部１６、表示部１８、チャンネル別受信データメモリ２０、地域別チャンネルデータメモリ２２、制御部２４を含む。送信部１０は、撮像素子２６、マイク２８、エンコード部３０、ＯＦＤＭフレーム構成部３２、ＯＦＤＭ変調部３４、周波数変換部３６、ＲＦ部３８、送信アンテナ４６を含み、受信部１２は、受信アンテナ４８、チューナ部４０、ＯＦＤＭ復調部４２、デコード部４４を含む。
【００１９】
チューナ部４０は、受信アンテナ４８を介して、図示しないエリアワンセグメント放送システム２００や他のエリアワンセグメント放送用送信装置１００から送信された信号を受信する。また、チューナ部４０は、受信アンテナ４８を介して、送信アンテナ４６から送信された信号も受信する。チューナ部４０は、所定のチャンネルに含まれた１３セグメントの信号を同時に受信可能である。チューナ部４０が受信するチャンネルは、処理部１４によって設定される。チューナ部４０は、受信した信号をＯＦＤＭ復調部４２に出力する。
【００２０】
ＯＦＤＭ復調部４２は、チューナ部４０からの信号を入力する。ＯＦＤＭ復調部４２は、信号に対してＦＦＴ（Ｆａｓｔ  Ｆｏｕｒｉｅｒ  Ｔｒａｎｓｆｏｒｍ）を実行することによって、時間領域の信号を周波数領域の信号に変換する。ＯＦＤＭ復調部４２は、周波数領域の信号をサブキャリア単位に復調する。ＯＦＤＭ復調部４２は、復調結果をデコード部４４に出力する。デコード部４４は、ＯＦＤＭ復調部４２からの復調結果を入力する。デコード部４４は、復調結果に対してＴＭＣＣを捕捉しデコードする。
【００２１】
撮像素子２６は、動画像あるいは静止画像（以下、これらを「画像」と総称する）を撮像する。撮像素子２６は、撮像した画像のデジタルデータ（以下、これを「画像」という）をエンコード部３０に出力する。マイク２８は、音声を取得する。マイク２８は、取得した音声のデジタルデータ（以下、これを「音声」という）をエンコード部３０に出力する。画像および音声は、エリアワンセグメント放送用送信装置１００によって配信されるコンテンツデータに相当する。なお、コンテンツデータは、これに限定されるものではなく、他のものであってもよい。例えば、予め記憶された画像や、図示しないネットワークを介して取得された情報がコンテンツとされてもよい。エンコード部３０は、撮像素子２６から画像を入力するとともに、マイク２８から音声も入力する。エンコード部３０は、画像および音声に対してエンコードを実行する。なお、エンコードには公知の技術が使用されればよいので、ここでは説明を省略する。エンコード部３０は、エンコード結果（以下、「データ」という）をＯＦＤＭフレーム構成部３２に出力する。
【００２２】
ＯＦＤＭフレーム構成部３２は、エンコード部３０からデータを入力する。ＯＦＤＭフレーム構成部３２は、シンボルタイミングにしたがってデータをＯＦＤＭシンボルに配置させる。なお、フレームに含まれた複数のＯＦＤＭシンボルは、フレーム信号と総称される。また、ＯＦＤＭフレーム構成部３２は、データに対して誤り訂正符号を付加してもよい。ＯＦＤＭフレーム構成部３２において生成される信号は、周波数領域のフレーム信号に相当する。ＯＦＤＭフレーム構成部３２は、周波数領域のフレーム信号をＯＦＤＭ変調部３４に出力する。
【００２３】
ＯＦＤＭ変調部３４は、ＯＦＤＭフレーム構成部３２からの周波数領域の信号に対して、ＩＦＦＴ（Ｉｎｖｅｒｓｅ  Ｆａｓｔ  Ｆｏｕｒｉｅｒ  Ｔｒａｎｓｆｏｒｍ）を実行することによって、有効シンボルを生成する。また、ＯＦＤＭ変調部３４は、ＧＩ（Ｇｕａｒｄ ｉｎｔｅｒｖａｌ）を有効シンボルに付加することによって、ベースバンドのＯＦＤＭシンボルを生成する。ＯＦＤＭ変調部３４は、ベースバンドのＯＦＤＭシンボルを周波数変換部３６に出力する。
【００２４】
周波数変換部３６は、ＯＦＤＭ変調部３４から、ベースバンドのＯＦＤＭシンボルを入力する。周波数変換部３６は、局部信号によってベースバンドのＯＦＤＭシンボルを周波数変換することによって、無線周波数のＯＦＤＭシンボルを生成する。周波数変換部３６は、無線周波数のＯＦＤＭシンボルをＲＦ部３８に出力する。ＲＦ部３８は、周波数変換部３６からの無線周波数のＯＦＤＭシンボルを増幅した後、送信アンテナ４６から送信する。
【００２５】
入力部１６は、ユーザからの入力を受けつける。入力部１６は、キーボード等の操作部を含んでいてもよい。入力部１６は、入力した内容を処理部１４に出力する。表示部１８は、処理部１４からのデータを受けつけ、データを表示する。チャンネル別受信データメモリ２０は、処理部１４から受けつけたキャリアセンスの結果を記憶する。キャリアセンスは、後述のごとく、受信部１２を介して処理部１４にてなされる。図３は、チャンネル別受信データメモリ２０のデータ構造を示す。図示のごとく、１３チャンネルから５２チャンネルのそれぞれに対してＥフラグ、Ｆフラグ、ｎｅｔｗｏｒｋ＿ｉｄ、ｓｅｒｖｉｃｅ＿ｉｄ、ｒｅｍｏｔｅ＿ｃｏｎｔｒｏｌ＿ｋｅｙ＿ＩＤ、エリアワンセグ情報ＩＤが含まれる。
【００２６】
Ｅフラグは、チャンネルの使用状況を示す。Ｅフラグが「１」であればチャンネルが使用されていることを検出したことを示し、Ｅフラグが「０」であればチャンネルが使用されてないことを示す。Ｆフラグは、Ｅフラグが「１」の場合に、さらに広域放送としての地上デジタル放送によってチャンネルが使用されていることを示す。Ｆフラグが「１」であれば広域放送としての地上デジタル放送の信号にチャンネルが使用されていることを示し、Ｆフラグが「０」であれば広域放送としての地上デジタル放送の信号にチャンネルが使用されていないことを示す。地上デジタル放送は、基幹放送ともよばれる。図２に戻る。
【００２７】
地域別チャンネルデータメモリ２２は、予め登録されているチャンネルに関するデータを記憶する。図４は、地域別チャンネルデータメモリ２２のデータ構造を示す。図示ごとく、地上デジタル放送の放送局ごとに、送信地点、送信電力、基幹放送／エリアワンセグフラグ、ｎｅｔｗｏｒｋ＿ｉｄ、ｓｅｒｖｉｃｅ＿ｉｄ、ｒｅｍｏｔｅ＿ｃｏｎｔｒｏｌ＿ｋｅｙ＿ＩＤ、エリアワンセグ情報ＩＤが含まれる。図２に戻る。
【００２８】
処理部１４は、送信部１０、受信部１２に対して所定の処理を実行する。ここでは、特に、送信部１０から信号を送信するまでの処理を説明する。信号を送信するまでの処理とは、例えば、チャンネル、送信電力等を決定するための処理である。処理部１４は、チャンネル、送信電力等を決定するために、受信部１２、入力部１６、チャンネル別受信データメモリ２０、地域別チャンネルデータメモリ２２を使用する。以下では、処理部１４の処理をフローチャートをもとに説明する。
【００２９】
図５は、エリアワンセグメント放送用送信装置１００による送信手順を示すフローチャートである。入力部１６からの入力をもとに、処理部１４は、希望チャンネルを設定するとともに、サービス距離を設定する（Ｓ１０）。サービス距離は、図１に示されたエリアワンセグメント放送用エリア１０４の半径に相当する。処理部１４は、初期チャンネルを設定して、チャンネルスキャンを開始する（Ｓ１２）。ここで、Ｆ＝０、Ｅ＝０に設定される。Ｅは、前述のＥフラグを示し、Ｆは、前述のＦフラグを示す。
【００３０】
処理部１４は、初期スキャンを実行する（Ｓ１４）。Ｅ＝０、Ｆ＝０であれば（Ｓ１６のＹ）、つまりチャンネルが空いていれば、処理部１４は第１処理を実行する（Ｓ１８）。Ｅ＝０、Ｆ＝０でなく（Ｓ１６のＮ）、Ｅ＝１、Ｆ＝０であれば（Ｓ２０のＹ）、つまりチャンネルは使用されているものの、広域の地上デジタル放送に使用されていなければ、処理部１４は、第２処理を実行する（Ｓ２２）。Ｅ＝１、Ｆ＝０でなく（Ｓ２０のＮ）、Ｅ＝１、Ｆ＝１であれば（Ｓ２４のＹ）、つまり広域の地上デジタル放送にチャンネルが使用されていれば、処理部１４は、第３処理を実行する（Ｓ２６）。Ｅ＝１、Ｆ＝１でなければ（Ｓ２４のＮ）、処理は終了される。以下では、（１）初期スキャン、（２）第１処理、（３）第２処理、（４）第３処理の順に説明する。
【００３１】
（１）初期スキャン
図６は、初期スキャンの処理手順を示すフローチャートである。受信部１２が信号を受信できれば（Ｓ３０のＹ）、処理部１４は、チャンネル別受信レベルをチャンネル別受信データメモリ２０に保存するとともに、Ｅ＝１に設定する（Ｓ３２）。ＮＩＴを取得でき（Ｓ３４のＹ）、広域の地上デジタル放送すなわち基幹放送であれば（Ｓ３６のＹ）、処理部１４は、チャンネル別地域コード、その他の周波数をチャンネル別受信データメモリ２０に保存するとともにＦ＝１に設定する（Ｓ４２）。ＮＩＴを取得できず（Ｓ３４のＮ）、あるいは基幹放送でなければ（Ｓ３６のＮ）、エリアワンセグ放送であるかが確認される。
【００３２】
エリアワンセグ放送であれば（Ｓ３８のＹ）、処理部１４は、エリアワンセグ情報ＩＤをチャンネル別受信データメモリ２０に保存する（Ｓ４０）。エリアワンセグ情報ＩＤはそのエリアワンセグ放送を特定するための情報で、たとえばｎｅｔｗｏｒｋ＿ＩＤやｓｅｒｖｉｃｅ＿ＩＤ、ｏｒｉｇｉｎａｌ＿ｎｅｔｗｏｒｋ＿ＩＤ、ＴＭＣＣ情報の一部やその他の情報を組み合わせたものである。エリアワンセグ放送でなければ（Ｓ３８のＮ）、ステップ４０はスキップされる。一方、受信部１２が信号をできなければ（Ｓ３０のＮ）、ステップ３２からステップ４２はスキップされる。最終チャンネルまでスキャンされていなければ（Ｓ４４のＮ）、チャンネルを更新し（Ｓ４６）、ステップ３０に戻る。最終チャンネルまでスキャンされていれば（Ｓ４４のＹ）、処理は終了される。
【００３３】
（２）第１処理
図７は、第１処理の手順を示すフローチャートである。送信部１０は、送信アンテナ４６から信号を送信する。ここでは、希望チャンネルで微弱送信がなされる（Ｓ５０）。図８は、処理部１４の構成を示す。処理部１４は、確認部５０、指示部５２を含む。確認部５０は、送信部１０が送信した信号を受信アンテナ４８にて受信しているか、つまり送信内容通り受信しているかを確認する。図７に戻る。受信している場合（Ｓ５２のＹ）、入力部１６から地域が入力される（Ｓ５４）。処理部１４は、入力された地域と、地域別チャンネルデータメモリ２２とデータを照合する（Ｓ５６）。希望チャンネルが照合データにあれば（Ｓ５８のＹ）、入力部１６は、希望チャンネルの再入力を受けつけ（Ｓ６０）、ステップ５６に戻る。
【００３４】
希望チャンネルが照合データになければ（Ｓ５８のＮ）、送信部１０は、希望チャンネルでのサービス距離に応じた送信を開始する（Ｓ６２）。受信していない場合（Ｓ５２のＮ）、つまり図８の確認部５０が信号の受信を未確認である場合、指示部５２は送信部１０による送信を停止させるとともに、表示部１８は、その旨を通知する。図７に戻り、例えば、周辺環境を確認できないため送信できませんのメッセージが表示される（Ｓ６４）。このような処理によって、ユーザがキャリアセンスを意図的にさせないようにした場合に、受信できないことが意図的かが判別される。つまり、自ら送信した信号が確認できないときは周辺環境が確認できないので、送信がなされない。
【００３５】
（３）第２処理
図９は、第２処理の手順を示すフローチャートである。入力部１６から地域が入力される（Ｓ７０）。処理部１４は、入力された地域と、地域別チャンネルデータメモリ２２とデータを照合する（Ｓ７２）。希望チャンネルが照合データにない場合（Ｓ７４のＮ）、処理部１４は、チャンネル別受信データメモリ２０とのデータ照合を実行する（Ｓ７６）。希望チャンネルが照合データにある場合（Ｓ７８のＹ）、エリアワンセグ放送であり（Ｓ８０のＹ）、受信レベルが基準値以下であれば（Ｓ８２のＹ）、送信部１０は、希望チャンネルでのサービス距離に応じた送信を開始する（Ｓ９０）。
【００３６】
図１０は、処理部１４の別の構成を示す。処理部１４は、測定部６０、推定部６２、取得部６４、送信電力決定部６６を含む。図示しない受信部１２は、他の送信装置からの信号を受信する。ここで、他の送信装置には、エリアワンセグメント放送用送信装置１００、広域の地上デジタル放送用送信装置１０２が含まれる。測定部６０は、受信部１２が受信した信号に対する受信電力を測定する。推定部６２は、送信部１０が受信した信号の送信元である他の送信装置との距離をもとに、受信電力を推定する。取得部６４は、推定部６２が推定した受信電力よりも、測定部６０が測定した受信電力の方が小さい場合に、差分を正のマージンとして取得する。送信電力決定部６６は、取得部６４が取得したマージンを加えながら、他の送信装置からの信号を受信装置が所定の位置で受信する際のＤＵ比がしきい値よりも大きくなるように、送信電力を決定する。図示しない送信部１０は、送信電力決定部６６が決定した送信電力によって、信号を送信する。
【００３７】
ここでは、このような処理をさらに詳細に説明する。相手からの電波の電界強度が基準（例えば５１［ｄＢμＶ／ｍ］）以上であれば、現在の送信地点が相手のエリアワンセグメント放送用エリア１０４に入っていることになり、送信は不可である。相手からの電波の電界強度が基準（例えば５１［ｄＢμＶ／ｍ］）未満であれば、相手のエリアワンセグメント放送用エリア１０４に対して自分の電波がどれ位の電波強度になるかを計算することになる。通常損失を計算する一番基本的な方法は自由空間損失(これは電力の損失計算式）である。
Ｌ=（（４πｄ）／λ）２  ［ｄＢ］                  式（１）
ここで、ｄは送信局と測定点との距離、λは送信電波の周波数である。
【００３８】
相手からの電波が自由空間損失で計算した場合に対して通常は差分がある。これは実際にはビルや山など遮蔽物や大地反射があるからで、多くの場合差分はより減衰した状態になる。そのような状況が、図１１（ａ）−（ｂ）のように示される。図１１（ａ）−（ｂ）は、エリアワンセグメント放送用送信装置１００間の干渉を説明するための図である。図１１（ａ）において、第１エリアワンセグメント放送用送信装置１００ａが自局に相当し、第２エリアワンセグメント放送用送信装置１００ｂが相手局に相当する。また、第２エリアワンセグメント放送用送信装置１００ｂは、第２エリアワンセグメント放送用エリア１０４ｂを形成しており、第２エリアワンセグメント放送用エリア１０４ｂ内に障害物１２０が存在する。例えば、図１１（ａ）では主な減衰原因は相手局から１００ｍのところにある建物によるものとする。また、図１２（ａ）−（ｂ）は、距離対減衰量を示す。図１１（ａ）の場合の減衰の状態は、図１２（ａ）のようになり、建物のところでＮｄＢ（ここでは１０ｄＢ)の減衰が発生するとしている。
【００３９】
図１１（ｂ）も、図１１（ａ）と同様に示されるが、第２エリアワンセグメント放送用エリア１０４ｂ外に、障害物１２０が存在する。例えば、図１１（ｂ）では主な減衰原因は相手局から６００ｍのところにある建物によるものとする。その場合の減衰の状態は図１２（ｂ）のようになり、建物のところでＮｄＢ（ここでは１０ｄＢ)の減衰が発生するとしている。いずれにしても同じ建物による相手局の減衰とこちらの電波の減衰量はほぼ同じと考えられることから、エリアワンセグメント放送用エリア１０４上での減衰はこの差分を前提として考えてよいことになる。すなわち図１１（ｂ）、図１２（ｂ）のような場合であっても図１１（ａ）、図１２（ａ）の場合と同じに扱ってよいことになる。
【００４０】
これを式で書くと以下のようになる。相手局からの距離をｄ０［ｍ］とする。また波長をλ０とする。自由空間損失Ｌ０は式（１）をもとに次のように示される。
Ｌ０＝（（４πｄ０）／λ０）２    ［ｄＢ］                式（２）
相手局の出力をＰ０［ｄＢｍ］として、実際に受信できた電力をＰｇ［ｄＢｍ］とすると、損失の差分Ｎｇ［ｄＢ］は、本来Ｐ０−Ｌ０［ｄＢｍ］で受信できるべきところが、Ｐｇ［ｄＢｍ］になったので次のように示される。
Ｎｇ＝Ｐ０−Ｌ０−Ｐｇ［ｄＢ］            式（３）
ただしＮｇは正のときに余分な減衰があることを示し、取得部６４において取得されるマージンに相当する。
【００４１】
相手のエリアワンセグメント放送用エリア１０４の限界が５１［ｄＢμＶ／ｍ］とすると、ｄＢｍとｄＢμＶ／ｍの換算差２０ｌｏｇ（λ／π）−１０ｌｏｇ（４×７３．１３）−９０＝１３１であることから、これは５１−１３１＝−８０ｄＢｍに相当する。相手局のこの限界にあるところが相手局からｄ１［ｍ］のところにあるとする。相手局から距離ｄ１［ｍ］での損失Ｌ１［ｄＢ］は次のように示される。
Ｌ１＝（（４πｄ１）／λ０）２                    式（４）
相手局の出力がＰ０［ｄＢｍ］であるから、次の式を逆算することによって、ｄ１が導出される。
Ｐ０−Ｌ１＝−８０［ｄＢｍ］                式（５）
【００４２】
相手のエリアワンセグメント放送用エリア１０４までの自局からの距離ｄ２［ｍ］は、ｄ２＝ｄ−ｄ１［ｍ］となる。そのため、自局の相手のエリアワンセグメント放送用エリア１０４の位置までの減衰量Ｌ２［ｄＢｍ］は次のように示される。
Ｌ２＝（（４πｄ２）／λ０）２                    式（６）
自局の出力をＰ２［ｄＢｍ］とすると、自由空間を仮定すれば相手のエリアワンセグメント放送用エリア１０４上での自局の電力Ｐ３［ｄＢｍ］は次のように示される。
Ｐ３＝Ｐ２−Ｌ２［ｄＢｍ］                式（７）
これに上記の差分Ｎｇ［ｄＢ］がマージン（減衰する方が正の符号なので）が見込めるので、式（５）と（７）から、相手のエリアワンセグメント放送用エリア１０４上におけるＤＵ比は、次のように示される。
Ｄ／Ｕ＝−８０−Ｐ３＋Ｎｇ［ｄＢ］            式（８）
このＤ／Ｕ［ｄＢ］が混信基準である１１［ｄＢ］以上になるようなＰ２が、送信電力決定部６６によって決定される。図９に戻る。
【００４３】
希望チャンネルが照合データにない場合（Ｓ７８のＮ）、送信部１０は、希望チャンネルでのサービス距離に応じた送信を開始する（Ｓ９０）。希望チャンネルが照合データにある場合（Ｓ７４のＹ）、あるいはエリアワンセグ放送でない場合（Ｓ８０のＮ）、入力部１６は、希望チャンネルの再入力を受けつけ（Ｓ８２）、ステップ７２に戻る。
【００４４】
受信レベルが基準値以下でない場合（Ｓ８２のＮ）、入力部１６は、ＩＤの入力を受けつける（Ｓ８４）。処理部１４は、チャンネル別受信データメモリ２０をもとに該当チャンネルのＩＤを照合する（Ｓ８６）。ＩＤが一致すれば（Ｓ８８のＹ）相手のサービスと同じグループのサービスであると判断できるので、電波がある程度干渉しても良いことを前提に送信可能と判断し、送信部１０は、希望チャンネルでのサービス距離に応じた送信を開始する（Ｓ９０）。ＩＤが一致しなければ（Ｓ８８のＮ）、相手のサービスは全く別のグループのサービスであると判断し、相手に対して干渉するような電波を出力してはいけないと判断し、ステップ７２に戻る。ここでは、図１３を使用して、ステップ８２からステップ９０までの処理を説明する。
【００４５】
図１３は、処理部１４のさらに別の構成を示す。処理部１４は、測定部６０、受付部７０、送信決定部７２を含む。測定部６０は、他の送信装置からの信号を受信した場合に、受信電力を測定する。受付部７０は、測定部６０において測定した受信電力がしきい値よりも大きい場合に、放送サービスを識別するための識別番号の入力を受けつける。識別番号は、例えば、ｎｅｔｗｏｒｋ＿ｉｄ、ｓｅｒｖｉｃｅ＿ｉｄ、ｏｒｉｇｉｎａｌ＿ｎｅｔｗｏｒｋ＿ｉｄ、ＴＭＣＣのデータ等である。送信決定部７２は、受付部７０が受けつけた識別番号と、受信した信号に含まれた識別番号とが一致する場合に、信号の送信を決定する。送信部１０は、送信決定部７２が送信を決定した場合に、信号を送信する。このように、隣接する場所で希望するチャンネルを使用した同一識別番号のエリアワンセグメント放送があった場合、スキャンによりその電波のレベルを確認する。その電波のレベルが相当低い基準以下であった場合は送信を行う。その電波のレベルが比較的高い場合は、隣接する場所でサービスを行っているユーザと電波強度などについて了解を得てから同一の識別番号を設定し、送信する。
【００４６】
（４）第３処理
図１４は、第３処理の手順を示すフローチャートである。処理部１４は、チャンネル別受信データメモリ２０、地域別チャンネルデータメモリ２２をもとに、データ照合を実行する（Ｓ１００）。処理部１４は、サービス推奨チャンネルを算出する（Ｓ１０２）。ここでは、サービス推奨チャンネルを算出するための処理を図１５をもとに説明する。図１５は、サービス推奨チャンネルの算出手順を示すフローチャートである。処理部１４は、データ照合を実行し（Ｓ１３０）、空きチャンネルリストを作成する（Ｓ１３２）。処理部１４は、初期空きチャンネルを設定する（Ｓ１３４）。微弱送信を行った後（Ｓ１３６）、処理部１４は、設定チャンネルを受信設定する（Ｓ１３８）。
【００４７】
処理部１４は、受信状態を空きチャンネルリストに記録する（Ｓ１４０）。受信状態として、ＢＥＲ、ＣＮＲが記録される。空きチャンネルリストが最終でなければ（Ｓ１４２のＮ）、次の空きチャンネルに設定され（Ｓ１４４）、ステップ１３６に戻る。空きチャンネルリストが最終であれば（Ｓ１４２のＹ）、処理部１４は、ＢＥＲ＝０の空きチャンネルを読み出し（Ｓ１４６）、空きチャンネルＣＮＲ順にチャンネルを並び替える（Ｓ１４８）。表示部１８は、推奨チャンネルを表示する（Ｓ１５０）。
【００４８】
さらに、このような処理を実行するための構成を説明する。図１６は、処理部１４のさらに別の構成を示す。処理部１４は、測定部６０、空きチャンネルリスト８０、付与部８２を含む。送信部１０は、複数のチャンネルのいずれかを切りかえながら、送信アンテナ４６から信号を送信する。送信部１０は、所定の位置における伝搬損失に応じた値だけ送信電力を低減させてもよい。受信部１２は、送信部１０が送信した信号を受信アンテナ４８にてチャンネルごとに受信する。
【００４９】
測定部６０は、受信部１２が受信した信号に対する受信品質をチャンネルごとに測定する。受信品質として、前述のごとく、誤り率（ＢＥＲ）とＣＮＲが測定されている。測定部６０は、測定した受信品質を空きチャンネルリスト８０に記憶させる。付与部８２は、空きチャンネルリスト８０が測定した受信品質を空きチャンネルリスト８０から抽出し、受信品質をもとに、放送に適したチャンネルの優先順位をチャンネルに付与する。ここでは、誤り率が低くなり、ＣＮＲが高くなるほど、高い優先順位をチャンネルに付与する。表示部１８は、付与部８２が付与したチャンネルの優先順位をもとに、放送に適したチャンネルに関する情報を通知する。
【００５０】
希望チャンネルに隣接したチャンネルの電波の電力が強すぎてサービスエリアが確保できない場合、ある程度のチャンネルの受信レベルはＲＦのＡＧＣやＩＦのＡＧＣの関係でわかる。しかしながら、ＲＦ入力の総合電力や隣接チャンネルとのＤＵ比の関係などを正確に把握することは困難である。そこでサービスエリア内で希望チャンネルが想定可能な最小電力となる電波を受信部１２で受信させるように送信し、受信状態をＢＥＲやＣＮＲで評価することによって、希望チャンネルが有効かを判断する。またこのような処理を空きチャンネルで行うことにより、ユーザに対してＢＥＲやＣＮＲの状況が良い推奨チャンネルは提示される。図１４に戻る。
【００５１】
希望チャンネルが照合データになく（Ｓ１０４のＮ）、希望チャンネルが推奨でなければ（Ｓ１０６のＮ）、表示部１８は、推奨チャンネルを表示する（Ｓ１０８）。チャンネルを変更する場合（Ｓ１１０のＹ）、ステップ１００に戻る。希望チャンネルが照合データにあり（Ｓ１０４のＹ）、エリアワンセグメント放送であり（Ｓ１１２のＹ）、受信レベルが基準値以下であれば（Ｓ１１８のＹ）、送信部１０は、希望チャンネルでのサービス距離に応じた送信を開始する（Ｓ１２６）。エリアワンセグメント放送でなければ（Ｓ１１２のＮ）、表示部１８は、推奨チャンネルを表示し（Ｓ１１４）、入力部１６は、希望チャンネルの再入力を受けつけて（Ｓ１１６）、ステップ１００に戻る。
【００５２】
受信レベルが基準値以下でない場合（Ｓ１１８のＮ）、図９のＳ８２でＮの場合の動作と同様であり、入力部１６は、ＩＤの入力を受けつける（Ｓ１２０）。処理部１４は、チャンネル別受信データメモリ２０をもとに該当チャンネルのＩＤを照合する（Ｓ１２２）。ＩＤが一致すれば（Ｓ１２４のＹ）、送信部１０は、希望チャンネルでのサービス距離に応じた送信を開始する（Ｓ１２６）。ＩＤが一致しなければ（Ｓ１２４のＮ）、ステップ１１４に戻る。希望チャンネルが推奨である場合（Ｓ１０６のＹ）、あるいはチャンネルを変更しない場合（Ｓ１１０のＮ）、送信部１０は、希望チャンネルでのサービス距離に応じた送信を開始する（Ｓ１２６）。
【００５３】
なお、図１６の付与部８２は、放送のために過去に使用したチャンネルに対する受信品質が許容値よりも良好であれば、当該チャンネルに対する優先順位を高くしてもよい。例えば、前日に送信したチャンネルが、希望チャンネルのデフォルトとして、設定される。つまり、前日に送信したチャンネルを自動で希望チャンネルと仮定し、当該チャンネルにおいて新たな送信装置からの送信が検出され、送信ができなくなった場合にその旨が表示される。図１７は、処理部１４に記憶される前回実行結果データのデータ構造を示す図である。希望チャンネルが使用された場合に、前回出力チャンネル、前回判定日時、前回送信終了時刻、前回ｎｅｔｗｏｒｋ＿ｉｄ、前回ｓｅｒｖｉｃｅ＿ｉｄ、前回ｒｅｍｏｔｅ＿ｃｏｎｔｒｏｌ＿ｋｅｙ＿ＩＤ、前回エリアワンセグ情報ＩＤが記憶される。
【００５４】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５５】
本発明の実施例によれば、送信アンテナから送信した信号を受信アンテナから受信しているかを確認し、未確認である場合に送信を停止するので、受信アンテナ等を意図的に隠している状況を検出できる。また、受信アンテナ等を意図的に隠している状況が検出されるので、キャリアセンスを正常に動作させることができる。また、キャリアセンスが正常に動作されるので、干渉信号が存在する環境に適したエリアワンセグメント放送を実現できる。また、未確認である場合にその旨を通知するので、通信環境をユーザに知らしめることができる。
【００５６】
また、送信アンテナから送信した信号をもとにＢＥＲとＣＮＲをチャンネルごとに測定し、各チャンネルに対して優先順位を付与して、推奨チャンネルを決定するので、隣接チャンネル干渉等の影響を考慮できる。また、送信アンテナから送信した信号を低減させるので、所定の位置におけるＢＥＲとＣＮＲを容易に推定できる。また、前回に使用したチャンネルの優先順位を高くするので、同一のチャンネルを使用しやすくできる。また、受信電力がある程度大きくても、同一の識別番号であれば、信号を送信するので、広いエリアにおいて連続したサービスを提供できる。また、障害物の影響をマージンとして送信電力を決定する際に考慮するので、障害物が存在する場合に適した送信電力を使用できる。
【００５７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００５８】
１０  送信部、  １２  受信部、  １４  処理部、  １６  入力部、  １８  表示部、  ２０  チャンネル別受信データメモリ、  ２２  地域別チャンネルデータメモリ、  ２４  制御部、  ２６  撮像素子、  ２８  マイク、  ３０  エンコード部、  ３２  ＯＦＤＭフレーム構成部、  ３４  ＯＦＤＭ変調部、  ３６  周波数変換部、  ３８  ＲＦ部、  ４０  チューナ部、  ４２  ＯＦＤＭ復調部、  ４４  デコード部、  ４６  送信アンテナ、  ４８  受信アンテナ、  ５０  確認部、  ５２  指示部、  ６０  測定部、  ６２  推定部、  ６４  取得部、  ６６  送信電力決定部、  ７０  受付部、  ７２  送信決定部、  ８０  空きチャンネルリスト、  ８２  付与部、  １００  エリアワンセグメント放送用送信装置。
【図１】
0005857516.tif 000002
【図２】
0005857516.tif 000003
【図３】
0005857516.tif 000004
【図４】
0005857516.tif 000005
【図５】
0005857516.tif 000006
【図６】
0005857516.tif 000007
【図７】
0005857516.tif 000008
【図８】
0005857516.tif 000009
【図９】
0005857516.tif 000010
【図１０】
0005857516.tif 000011
【図１１】
0005857516.tif 000012
【図１２】
0005857516.tif 000013
【図１３】
0005857516.tif 000014
【図１４】
0005857516.tif 000015
【図１５】
0005857516.tif 000016
【図１６】
0005857516.tif 000017
【図１７】
0005857516.tif 000018